(57)【要約】【課題】  高擬塑性の流体のインクを吐出可能にして粒子の大きな顔料が使用でき、経時安定性の向上ができる筆記具を提供する。【解決手段】  剪断減粘性インクを収容した軸筒１０の先端に筆記ペン先１２を装着した筆記具において、軸筒１０の先端には、筆記ペン先１２にインクを導く可撓性筒体１４と、前記筆記ペン先１２への筆記荷重によって、当該筆記ペン先１２を周方向に回転可能な捩り部材１６とを備えた筆記具である。【選択図】図１
2015120247.tif 000002
【特許請求の範囲】
【請求項１】
剪断減粘性インクを収容した軸筒の先端に筆記ペン先を装着した筆記具において、
軸筒の先端には、筆記ペン先にインクを導く可撓性筒体と、前記筆記ペン先への筆記荷重によって、当該筆記ペン先を周方向に回転可能な捩り部材とを備えたことを特徴とする筆記具。
【請求項２】
可撓性筒体内には、当該可撓性筒体内のインクを攪拌するためのスクリューを備えたことを特徴とする請求項１に記載の筆記具。
【請求項３】
筆記ペン先はボールペンであることを特徴とする請求項１または２に記載の筆記具。
【発明の詳細な説明】
【技術分野】
【０００１】
本発明は粘度の高いインクを筆記荷重によってスムーズに吐出できるようにした筆記具に関する。
【背景技術】
【０００２】
従来、修正液等の顔料を混合したインクを用いる筆記具に関して、特開２００３−３０５９８６号公報（：特許文献１）には沈降する白色顔料とゲル化剤を含んだ剪断減粘性のあるインクを用いて、筆記チップの後方の弁体によってボールに供給されるインクへの圧力が保たれるようにした筆記具が開示されている。
【０００３】
また、特開２００７−２７２号公報（：特許文献２）には、沈降する白色顔料の塗布液インクをペン先側で攪拌力等を付与することができる筆記具が開示されている。
【０００４】
しかしながら、これらの文献記載の筆記具では、剪断減粘性等の擬塑性のあるインクでは顔料等の沈降した内容物が原因になって、チップ先端とボールとの隙間に内容物が詰まり十分なインク流出量を得ることができない場合があった。
【０００５】
これに対して、特開平１１−２４０２８６号公報（：特許文献３）では、高い粘性を有するインクを、筆圧に伴う筆記チップの後退で加圧してチップ先端から粘性を有したインクを吐出するようにしたボールペンが開示されている。
【先行技術文献】
【特許文献】
【０００６】
【特許文献１】特開２００３−３０５９８６号公報
【特許文献２】特開２００７−２７２号公報
【特許文献３】特開平１１−２４０２８６号公報
【発明の概要】
【発明が解決しようとする課題】
【０００７】
しかしながら、前述の特許文献３の筆記具であっても、擬塑性のインクではボールチップ近辺でインクに沈降が生じる場合等、加圧しても十分にチップ先端にインクを供給できない虞があった。
【０００８】
特に、粒子の大きい顔料を含んだ高擬塑性のインクの場合に、加圧のみでは顔料成分が沈降した場合等に筆記チップ先端に確実にインクを送り込めない虞があった。
【０００９】
本発明は、斯かる実情に鑑み、高擬塑性の流体のインクを吐出可能にして粒子の大きな顔料が使用でき、経時安定性の向上ができる筆記具を提供しようとするものである。
【課題を解決するための手段】
【００１０】
本発明は、剪断減粘性インクを収容した軸筒の先端に筆記ペン先を装着した筆記具において、
軸筒の先端には、筆記ペン先にインクを導く可撓性筒体と、前記筆記ペン先への筆記荷重によって、当該筆記ペン先を周方向に回転可能な捩り部材とを備えたことを特徴とする筆記具である。
【００１１】
本発明において、可撓性筒体内には、当該可撓性筒体内のインクを攪拌するためのスクリューを備えたことが好適である。
【００１２】
また、本発明において、筆記ペン先はボールペンであることが好適である。
【発明の効果】
【００１３】
本発明の筆記具によれば、軸筒の先端に備えた可撓性筒体記によって、ペン先にインクを導き、前記筆記ペン先への筆記荷重によって、捩じり部材によって当該筆記ペン先を周方向に回転可能にしているので、筆記ペン先に加圧力だけではなく回転力によって剪断減粘性インクを剪断して粘性を十分低下させて、書き味を確実に良好にできる。
【００１４】
また、可撓性筒体内のスクリューを設ければスクリューの回転で可撓性筒体内のインクを攪拌し剪断するので粘性がより低下しやすくなり、特に高擬塑性流体のインクを用いて筆記することが容易となる。
【００１５】
また、筆記ペン先がボールペンとすることが望ましい。
【図面の簡単な説明】
【００１６】
【図１】本発明の実施形態に係る筆記具の全体説明図で、（ａ）が斜視図、（ｂ）が側面図、（ｃ）が縦断面図、（ｄ）が（ｂ）とは別方向の側面図、（ｅ）が（ｄ）における縦断面図である。
【図２】スクリューの部品図で、（ａ）が正面図、（ｂ）が先方からの斜視図、（ｃ）が側面図、（ｄ）が縦断面図、（ｅ）が後方からの斜視図、（ｆ）が後方視図である。
【図３】捩じり部材の部品図で、（ａ）が後方からの斜視図、（ｂ）が後方からの視図、（ｃ）が側面図、（ｄ）が縦断面図、（ｅ）が（ｃ）とは別方向の側面図、（ｆ）が（ｅ）における縦断面図、（ｇ）が先方からの斜視図、（ｈ）が先方からの視図である。
【図４】継手の部品図で、（ａ）が先方からの斜視図、（ｂ）が先方からの視図、（ｃ）が側面図、（ｄ）が縦断面図、（ｅ）が後方からの斜視図、（ｆ）が後方からの視図である。
【発明を実施するための形態】
【００１７】
以下、本発明の実施形態を添付図面の参照によって説明する。
【００１８】
図１は実施形態に係る筆記具の全体説明図、図２はスクリューの部品図、図３は捩じり部材の部品図、図４は継手の部品図である。
【００１９】
図１に示すように、実施形態に係る筆記具は、剪断減粘性インクを収容した軸筒１０の先端に筆記ペン先１２を装着したものである。
【００２０】
前記軸筒１０の先端には、筆記ペン先１２にインクを導く可撓性筒体１４と、前記筆記ペン先１２への筆記荷重によって、当該筆記ペン先１２を周方向に回転可能な捩り部材１６とを備えた筆記具である。
【００２１】
また、可撓性筒体１４内には、当該筒体内のインクを攪拌するためのスクリュー１８を備えている。
【００２２】
また、実施形態では、筆記ペン先１２は金属製または樹脂製のチップ先端にボールを回転可能に嵌入したもののであり、筆記具がボールペンとなっている。
【００２３】
ここで、前記筆記具には、前記捩じり部材１６の先端開口に継手２０が嵌り込み、その継手２０によって前記筆記ペン先１２を嵌着して支持している。
【００２４】
前記軸筒１０は、後端が封鎖され、先端の開口部に前記スクリュー１８が嵌着され、その外周に捩じり部材１６が配置されて固定されている。
【００２５】
前記スクリュー１８は、図２に示すように、後部の椀状部１８ａの外周にフランジが拡径構成されて前記軸筒１０に嵌着時に軸筒先端に該フランジが当接して位置決めする。当該椀状部１８ａには内部に先後に通して貫通孔１８ｂが形成され、先端に攪拌棒状部１８ｃが延びている。攪拌棒状部１８ｃは周面に凹凸によって複数の溝が形成されており、先後に延びても、螺旋を形成してもよい。
【００２６】
前記捩じり部材１６は、図３に示すように、先・後の環状体１６ａ・１６ｂを複数の螺旋状のブリッジ部１６ｃで繋ぐ構造であり、先・後の環状体の間隔が狭めて伸縮することによってブリッジ部１６ｃの倒れに応じ、先の環状体１６ａが後に環状体１６ｂに対して周方向に位置ずれして回転する、すなわち捩じれる構造である。
【００２７】
前記可撓性筒体１４は、柔軟性のある樹脂製例えばポリプロピレン製のフィルムからなるパイプである。
【００２８】
継手２０は、図４に示すように外周にフランジのある概略筒構造である。該継手２０には、図１に示すように先端に筆記ペン先１２を嵌め込み、その筆記ペン先１２内に後部から前記スクリュー１８の攪拌棒状部１８ｃを差し込んで位置させる。
【００２９】
上記のように、捩じり部材１６の形状、スクリュー１８の形状、可撓性筒体１４との接続部に特徴的である。
【００３０】
なお、軸筒１０、可撓性筒体１４、捩じり部材１６、スクリュー１８、継手２０各部は樹脂製として例えばポリアセタールやポリプロピレンであり、必要に応じて金属を用いることができる。
【００３１】
上記構成の実施形態に係る筆記具によれば、軸筒１０の先端に備えた可撓性筒体１４によって、筆記ペン先１２にインクを導く。その際、前記筆記ペン先１２への使用者による筆記荷重によって、捩じり部材１６が当該筆記ペン先１２を周方向に回転する。
【００３２】
したがって、筆記ペン先１２に加圧力だけではなく回転力によって剪断減粘性インクを剪断して粘性を十分低下させて、書き味を確実に良好にできる。
【００３３】
このため、粒子の大きな顔料を使用しても粒子が沈降による等の筆記不良を起こしにくい経時安定性に優れた高擬塑性流体のインクを使用できることで、一般的な筆記具では流出しにくいインクでも使用することができる。
【００３４】
また、可撓性筒体内のスクリュー１８を設けているので、スクリュー１８の回転で可撓性筒体１４内のインクを攪拌し剪断することによって、インクの粘性がより低下しやすくなりさらに、書きやすくなる。
【００３５】
また、筆記ペン先がボールペンであり、ボールの回転によってインクが剪断されるので粘性が低下する。
【００３６】
なお、本発明は実施形態に限定されず、種々に変形させて実施できる。
【産業上の利用可能性】
【００３７】
本発明の筆記具は、特に比重の高い顔料を使用した高擬塑性流体のインクを使用したボールペン、修正ペン等の筆記具に利用することができる。
【符号の説明】
【００３８】
１０  軸筒
１２  筆記ペン先
１４  可撓性筒体
１６  戻り部材
１６ａ・１６ｂ  環状体
１６ｃ  ブリッジ部
１８  スクリュー
２０  継手
【図１】
2015120247.tif 000003
【図２】
2015120247.tif 000004
【図３】
2015120247.tif 000005
【図４】
2015120247.tif 000006